(57)【要約】【課題】建屋工事を不要とするとともに、保全作業に影響を与えずに乗客の利用状況を撮影できる乗客コンベアを提供する。【解決手段】環状に連続した手摺２と、踏段および手摺２を駆動する駆動装置３と、この駆動装置３を制御する制御装置４と、手摺２、駆動装置３および制御装置４を格納するフレーム５の両端に並列して立設され手摺２を誘導するガイドを有する欄干６と、欄干６及び欄干６とフレーム５の隙間を埋めるデッキボード７と、フレーム５内に格納される駆動装置３および制御装置４の点検保守時に開放されるカバープレート８を備え、カバープレート８の、手摺２の延長線上に設けられる開口部８ａと、この開口部８ａの上部に着脱可能に立設され、内部にカメラ１０を内蔵したポール９とを備えている。【選択図】図４
2010116247.tif 000002
【特許請求の範囲】
【請求項１】
無端状に連結した踏段と、環状に連続した手摺と、前記踏段及び踏段手摺を駆動する駆動装置と、この駆動装置を制御する制御装置と、前記踏段、前記手摺、前記駆動装置および前記制御装置を格納するフレームと、前記踏段の両端に並列して立設され前記手摺を誘導するガイドを有する欄干と、前記踏段と前記欄干及び前記欄干と前記フレームの隙間を埋めるデッキボードと、前記フレーム内に格納される前記駆動装置および前記制御装置の点検保守時に開放されるカバープレートを備えた乗客コンベアにおいて、
前記カバープレートの前記手摺の延長線上、あるいは前記手摺の延長線上の外側の位置に設けられる開口部と、
この開口部の上部に着脱可能に立設され、内部にカメラを配設したポールとを備えたことを特徴とする乗客コンベア。
【請求項２】
請求項１記載の乗客コンベアにおいて、
前記ポールを筒形状に形成し、
前記カバープレートから前記開口部を介して上部へ所定長突出し、所定長のねじ部を具備し前記ポール内に挿入可能な突出部を有するとともに、前記突出部の長手方向に複数個のねじ穴を備えた上部台座と、
前記カバープレートの裏面側に配置され、前記開口部を介して前記上部台座の前記ねじ部と螺着可能な下部台座とを備え、
前記ポールには、前記上部台座の前記突出部に被せたとき、前記複数個のねじ穴と対向する位置に穴を備えたことを特徴とする乗客コンベア。
【請求項３】
請求項１記載の乗客コンベアにおいて、
前記ポールを筒形状に形成し、
前記カバープレートの上側に配置されて上方向へ所定長突出し、内部に所定長の前記ねじ部を具備し、前記ポール内に挿入可能な突出部を有するとともに、前記突出部の長手方向に複数個のねじ穴を備えた上部台座と、
前記カバープレートの裏面側に配置され、前記開口部を介して前記カバープレートを挟み込んで前記上部台座の前記ねじ部と螺着可能な下部台座とを備えた前記ポールには、前記上部台座の前記突出部に被せたとき、前記複数個のねじ穴と対向する位置に穴を設けたことを特徴とする乗客コンベア。
【請求項４】
請求項１記載の乗客コンベアにおいて、
前記ポールを筒形状に形成し、
前記カバープレートから前記開口部を介して上部の所定長突出する突出部を有するとともに、前記突出部の長手方向に複数個のねじ穴を設けた上部台座と、
前記カバープレートの裏面側に固定されるとともに前記上部台座が固定される下部台座とを備え、
前記ポールには、前記上部台座の前記突出部に被せたとき、前記複数個のねじ穴を対向する位置に穴を設けたことを特徴とする乗客コンベア。
【請求項５】
請求項１に記載の乗客コンベアにおいて、
前記ポールは、前記デッキボードの上端位置で所定の角度をもって反踏段側に曲げられる第１屈曲部と、
前記手摺の外側と前記デッキボード外側の間で、前記カバープレートに対して直交する第２屈曲部とを備えたことを特徴とする乗客コンベア。
【発明の詳細な説明】
【技術分野】
【０００１】
本発明は、乗客コンベアに係り、特に乗降者の状況を撮影記憶するのに好適な乗客コンベアに関する。
【背景技術】
【０００２】
乗客コンベアを効率的に運転するために、これから乗客コンベアに乗ろうとしている乗客がいることを検出して乗客コンベアの起動、停止制御をする自動運転の制御や、乗客コンベアに乗ろうとしている乗客に対し視覚的、聴覚的な案内制御のための人感センサや表示器、スピーカなどを乗客コンベアの乗降口の手前に備える必要がある。
【０００３】
その一つとして、建屋側の床面にポールを立設し、ポールの内部にセンサ、放送装置、表示装置、照明、通信装置、記憶装置、電源および制御装置など、乗客コンベアおよび乗客コンベアの利用者に係わる機材を内蔵する構成が広く知られている。
【０００４】
最近では、乗客コンベアの利用状況を確認するための監視カメラをポールに収納するものも提案されている（特許文献１参照）。
【特許文献１】特開２００６−２０６２８３号公報
【発明の開示】
【発明が解決しようとする課題】
【０００５】
しかし、特許文献１に示される従来技術によると、乗客コンベアに上記のような機材を内蔵するポールを設置するには、建屋側の床を掘削してポール固定用台座を固定し、配線ダクトを埋設した後、再び床仕上げを行なう必要があり、建屋工事時間、及び費用が掛かるという問題がある。また、ポールを立設するための領域を確保する必要があり、例えば乗客コンベアが壁面に沿って設置され、ポールが設置できないときなどは、壁に埋込むなどといった処置を取るなどの特殊な設計、施工を要する場合がある。
【０００６】
また、ポールを立設するにあたっては、乗客コンベア本体の安全性や保守点検に支障をきたさない位置や設置方法とする必要がある。
【０００７】
また、このようなポールは乗客の動線をふさがないように、乗客や乗客の持ち物が衝突したり、足を引掛けることのない位置に設置する必要がある。
【０００８】
本発明の目的は、建屋工事を不要とするとともに、保全作業に影響を与えずに乗客の利用状況を撮影できる乗客コンベアを提供することにある。
【課題を解決するための手段】
【０００９】
本発明は、上記目的を解決するために、無端状に連結した踏段と、環状に連続した手摺と、前記踏段及び踏段手摺を駆動する駆動装置と、この駆動装置を制御する制御装置と、前記踏段、前記手摺、前記駆動装置および前記制御装置を格納するフレームと、前記踏段の両端に並列して立設され前記手摺を誘導するガイドを有する欄干と、前記踏段と前記欄干及び前記欄干と前記フレームの隙間を埋めるデッキボードと、前記フレーム内に格納される前記駆動装置および前記制御装置の点検保守時に開放されるカバープレートを備え、前記カバープレートの、前記手摺の延長線上、あるいは前記手摺の延長線上の外側の位置に設けられる開口部と、この開口部の上部に着脱可能に立設され、内部にカメラを内蔵したポールとを備えたことを特徴としている。
【００１０】
このように構成した本発明は、フレーム内に格納される駆動装置および制御装置の点検保守時に開放されるカバープレートに、開口部と、この開口部上部に立設され、内部にカメラを内蔵したポールを設けたので、カバープレートに開口部を形成することが必要であるものの建屋工事は不要となり、また、カメラを配設したポールを着脱可能に設けてあるので、保全作業時には、必要ならばポールを離脱させればよく、したがって保全作業に影響を与えずに乗客の利用状況を撮影できる。
【００１１】
また、本発明は、前記発明において、前記ポールを筒形状に形成し、前記カバープレートから前記開口部を介して上部へ所定長突出し、所定長のねじ部を具備し前記ポール内に挿入可能な突出部を有するとともに、前記突出部の長手方向に複数個のねじ穴を備えた上部台座と、前記カバープレートの裏面側に配置され、前記開口部を介して前記上部台座の前記ねじ部と螺着可能な下部台座とを備え、前記ポールには、前記上部台座の前記突出部に被せたとき、前記複数個のねじ穴と対向する位置に穴を備えたことを特徴とする。
【００１２】
また、本発明は、前記発明において、前記ポールを筒形状に形成し、前記カバープレートの上側に配置されて上方向へ所定長突出し、内部に所定長の前記ねじ部を具備し、前記ポール内に挿入可能な突出部を有するとともに、前記突出部の長手方向に複数個のねじ穴を備えた上部台座と、前記カバープレートの裏面側に配置され、前記開口部を介して前記カバープレートを挟み込んで前記上部台座の前記ねじ部と螺着可能な下部台座とを備えた前記ポールには、前記上部台座の前記突出部に被せたとき、前記複数個のねじ穴と対向する位置に穴を設けたことを特徴とする。
【００１３】
また、本発明は、前記発明において、前記ポールを筒形状に形成し、前記カバープレートから前記開口部を介して上部の所定長突出する突出部を有するとともに、前記突出部の長手方向に複数個のねじ穴を設けた上部台座と、前記カバープレートの裏面側に固定されるとともに前記上部台座が固定される下部台座とを備え、前記ポールには、前記上部台座の前記突出部に被せたとき、前記複数個のねじ穴を対向する位置に穴を設けたことを特徴とする。
【００１４】
また、本発明は、前記発明において、前記ポールは、前記デッキボードの上端位置で所定の角度をもって反踏段側に曲げられる第１屈曲部と、前記手摺の外側と前記デッキボード外側の間で、前記カバープレートに対して直交する第２屈曲部とを備えたことを特徴とする。
【発明の効果】
【００１５】
本発明は、制御装置の保守点検時等の保全作業時に開放されるカバープレートの、手摺の延長線上、あるいは手摺の延長線上の外側の位置に設けられる開口部と、この開口部の上部に着脱可能に立設され、内部にカメラを配設したポールとを備えたことから、建屋工事を不要とすることができ、ポールを立設するための領域の確保が簡単になり、ポールの設置作業を簡単に行なうことができる。したがって、従来に比べてポールの設置に要する時間及び費用を削減できる。また、保全作業に影響を与えずに乗客の利用状況をポールの内部に配設したカメラによって撮影でき、さらに、乗降する乗客の動線を妨げることがないので、乗降者に対する優れた安全性を確保できる。
【発明を実施するための最良の形態】
【００１６】
以下、本発明に係る乗客コンベアを実施するための最良の形態を図に基づいて説明する。
【００１７】
図１は、本発明に係る乗客コンベアの第１実施形態を示す要部側断面図、図２は、図１の要部平面拡大図、図３は、第１実施形態に備えられるポールを乗場側から欄干方向に向かって見た図、図４は、第１実施形態に備えられるポール固定部を示す側面図である。
【００１８】
第１実施形態に係る乗客コンベアは、駆動装置３を制御する制御装置４と、ステップ１、手摺２、駆動装置３および制御装置４を格納するフレーム５と、ステップ１の両端に並列して立設され手摺２を誘導するガイドを有する欄干６と、ステップ１と欄干６及び欄干６とフレーム５の隙間を埋めるデッキボード７と、フレーム５内に格納される駆動装置３および制御装置４の点検保守時に開放されるカバープレート８を備えている。カバープレート８には、図４に示すように、例えば手摺２の延長線上に開口部８ａを設けてある。また、この開口部８ａの上部には、内部にカメラ１０を配設したポール９を着脱可能に立設させてある。前述したポール９は、図３に示すように、デッキボード７の上端位置で所定の角度をもって反ステップ１側に曲げられる第１屈曲部９ａと、手摺２の外側とデッキボード７外側の間で、カバープレート８に対して直交する第２屈曲部９ｂとを備えている。
【００１９】
ポール９は筒形状に形成してあり、図４に示すように、カバープレート８から開口部８ａを介して上部へ所定長突出する。また、所定長のねじ部１１ａａを下方に具備しポール９内に挿入可能な突出部を有するとともに、突出部の長手方向に複数個のねじ穴１１ｃを備えた上部台座１１ａと、カバープレート８の裏面側に例えば溶接によって固定され、開口部８ａを介して上部台座１１ａのねじ部、すなわちめねじ部１１ａａと螺着可能なねじ部、すなわちおねじ部１１ｂｂを有する下部台座１１ｂとを備えている。なお、ポール９には、上部台座１１ａの突出部に被せたとき、複数個のねじ穴１１ｃと対向する位置に穴を備えている。
【００２０】
図４に示すように、上部台座１１ａのねじ穴１１ｃとポール９の穴とに、ねじ１２が挿入され、このねじ１２によってポール９が上部台座１１ａに固定される。
【００２１】
このように構成した本実施形態は、前述したように、上部台座１１ａのねじ部すなわち、めねじ部１１ａａをカバープレート８の開口部８ａから、カバープレート８の裏面に固定された下部台座１１ｂのねじ部すなわち、おねじ部１１ｂｂに螺合させて上部台座１１ａを下部台座１１ｂに固定する。この状態でポール９を上部台座１１ａの突出部に被せ互いのねじ穴１１ｃ、穴を位置合わせした後、ねじ１２によってポール９を上部台座１１ａに固定する。これによりポール9は、図３に示すように、上方部分が手摺の延長線上から外側に配置されるように、カバープレート８上に立設される。
【００２２】
なお、カバープレート８を開いて行なわれる保全作業時には、ポール９を倒したときに周辺の物体等に当る懸念がなければ、そのままカバープレート８を開いて作業を行なうことができる。また、ポール９を倒すと周辺の物体等に当って何らかの支障を生じるような場合には、図４のねじ１２を緩めてポール９を外してカバープレート８を開いて作業が行なわれる。この場合、上部台座１１ａが装着されていると支障が生じるときには、この上部台座１１ａも外して保守点検作業が行なわれる。
【００２３】
このように構成した本実施形態によれば、制御装置４の保守点検時等の保全作業時に開放されるカバープレート８の、手摺２の延長線上に設けた開口部８ａと、この開口部８ａの上部に着脱可能に立設され、内部にカメラ１０を配設したポール９とを備えたことから、建屋工事を不要とすることができ、ポール９を立設するための領域の確保が簡単になり、ポール９の設置作業を簡単に行なうことができる。したがって、ポール９の設置に要する時間及び費用を削減できる。また、保全作業に影響を与えずに乗客の利用状況をポール９の内部に配設したカメラ１０によって撮影でき、さらに乗降する乗客の動線を妨げることがなく、これらによって乗降者に対する優れた安全性を確保できる。
【００２４】
図５は、本発明の第２実施形態に備えられるポール固定部を示す側面図である。
【００２５】
この第２実施形態では、第１実施形態と同様に、ポール９を筒形状に形成しカバープレート８の上側に配置されて上方向へ所定長突出し、内部に所定長のねじ部、すなわち、めねじ部１１ａｂを具備し、ポール９内に挿入可能な突出部を有するとともに、突出部の長手方向に複数個のねじ穴１１ｃを備えた上部台座１１ａと、カバープレート８の裏面側に配置され、開口部８ａを介してカバープレート８を挟込んで上部台座１１ａのめねじ部１１ａｂと螺着可能なねじ部、すなわちおねじ部１１ｂａを有する下部台座１１ｂとを備えている。
【００２６】
また、ポール９には第１実施形態と同様に、上部台座１１ａの突出部に被せたとき、複数個のねじ穴１１ｃと対向する位置に穴を設けてある。
【００２７】
このように構成した第２実施形態もカバープレート８を挟むように上部台座１１ａと下部台座１１ｂを螺着させることにより、これらの上部台座１１ａ、下部台座１１ｂの落下を生じることなくポール９を立設させることができ、第１実施形態と同等の効果が得られる。
【００２８】
図６は、本発明の第３実施形態に備えられるポール固定部を示す側面図である。
【００２９】
第３実施形態における乗客コンベアは、第１実施形態と同様に、ポール９を筒形状に形成し、カバープレート８から開口部８ａを介して上部の所定長突出する突出部を有するとともに、突出部の長手方向に複数個のねじ穴１１ｃを設けた上部台座１１ａと、カバープレート８の裏面側に固定されるとともに上部台座１１ａが固定される下部台座１１ｂとを備え、ポール９には、上部台座１１ａの突出部に被せたとき、複数個のねじ穴１１ｃを対向する位置に穴を備えている。それ以外の構成は、第１実施形態と同様である。
【００３０】
このように構成した第３実施形態も、カバープレート８の開口部８ａの上部にポール９を着脱可能に立設することができ、第１実施形態と同様の効果が得られる。
【図面の簡単な説明】
【００３１】
【図１】本発明に係る乗客コンベアの第１実施形態を示す要部側断面図である。
【図２】図１の要部平面拡大図である。
【図３】本発明の第１実施形態に備えられるポールを乗場側から欄干方向に向かって見た図である。
【図４】本発明の第１実施形態に備えられるポール固定部を示す側面図である。
【図５】本発明の第２実施形態に備えられるポール固定部を示す側面図である。
【図６】本発明の第３実施形態に備えられるポール固定部を示す側面図である。
【符号の説明】
【００３２】
１        ステップ
２        手摺
３        駆動装置
４        制御装置
５        フレーム
６        欄干
７        デッキボード
８        カバープレート
８ａ      開口部
９        ポール
９ａ      第１屈曲部
９ｂ      第２屈曲部
１０      カメラ
１１      台座
１１ａ    上部台座
１１ａａ  めねじ部
１１ａｂ  めねじ部
１１ｂ    下部台座
１１ｂａ  おねじ部
１１ｂｂ  おねじ部
１１ｃ    ねじ穴
１２      ねじ
【図１】
2010116247.tif 000003
【図２】
2010116247.tif 000004
【図３】
2010116247.tif 000005
【図４】
2010116247.tif 000006
【図５】
2010116247.tif 000007
【図６】
2010116247.tif 000008